(57)【要約】【課題】点検作業に際しては最下階乗場の床面とほとんど段差を生じることなく作業床を配置でき、作業終了後の収納時には占有スペースを小さくすることができる。【解決手段】本発明は、最下階乗場４に対向する昇降路１の壁面に固定されるブラケット１１と、このブラケット１１に保持される芯棒１２と、この芯棒１２に巻回され、最下階乗場４方向に引き出されて展開されたときに作業員５の乗り込みが可能な作業床を形成し、点検作業の終了後に芯棒１２に巻き取られる巻回体１３とを有し、最下階乗場４の床面と同じ高さ位置に配置した巻き取り式点検床１０と、この巻き取り式点検床１０の巻回体１３の端部を最下階乗場４に固定する固定手段とを備えている。固定手段は、巻き取り式点検床１０の巻回体１３の端部に取り付けられるフック１４と、最下階乗場４のシル７に設けられ、フック１４が連結される連結穴１６とを含んでいる。【選択図】図１
2012126485.tif 000002
【特許請求の範囲】
【請求項１】
昇降路内部からの機器の点検作業に用いられるエレベータの点検作業床装置において、
最下階乗場に対向する昇降路壁面に固定されるブラケットと、このブラケットに保持される芯棒と、この芯棒に巻回され、前記最下階乗場方向に引き出されて展開されたときに作業員の乗り込みが可能な作業床を形成し、点検作業の終了後に前記芯棒に巻き取られる巻回体とを有し、前記最下階乗場の床面と同じ高さ位置に配置した巻き取り式点検床と、
前記巻き取り式点検床の前記巻回体の端部を前記最下階乗場に固定する固定手段とを備えたことを特徴とするエレベータの点検作業床装置。
【請求項２】
請求項１に記載のエレベータの点検作業床装置において、
前記固定手段は、前記巻き取り式点検床の前記巻回体の前記端部に取り付けられるフックと、前記最下階乗場のシルに設けられ、前記フックが連結される連結穴とを含むことを特徴とするエレベータの点検作業床装置。
【請求項３】
請求項２に記載のエレベータの点検作業床装置において、
前記固定手段は、前記フックに形成したボルト穴と、このボルト穴が適合可能に前記シルに形成したねじ孔と、前記ボルト穴に挿入されて前記ねじ孔に螺合するボルトとを含むことを特徴とするエレベータの点検作業床装置。
【請求項４】
請求項３に記載のエレベータの点検作業床装置において、
前記巻き取り式点検床の前記巻回体の前記端部に、前記最下階乗場から操作される棒体の先端に設けた係合部が係合可能な係合穴を設けたことを特徴とするエレベータの点検作業床装置。
【請求項５】
請求項４に記載のエレベータの点検作業床装置において、
前記巻き取り式点検床は、ばね力によって前記巻回体が前記芯棒に巻き取られる自動巻き取り式の点検床から成ることを特徴とするエレベータの点検作業床装置。
【発明の詳細な説明】
【技術分野】
【０００１】
本発明は、最下階乗場付近に設置されている昇降路内機器あるいは乗場に配置される機器の昇降路内からの点検作業に活用されるエレベータの点検作業床装置に関する。
【背景技術】
【０００２】
エレベータの昇降路内あるいは乗場には、様々な機器が配置されており、それぞれ定期的に点検作業を行う必要がある。特に、昇降路内の最下階床面と同程度の高さ位置には、巻上機や制御盤などの重要な機器が配置されることが多い。このような機器は、通常ピットからは手が届かない位置に有り、したがってピット内からの点検作業を行うことはできない。また、エレベータの乗場には、乗かごの進行方向を指定する押し釦とか、現在の乗かごの位置を表示する表示パネルを有する操作盤が配置されるが、この操作盤の点検作業は、エレベータの仕様によっては昇降路内から行う必要がある。
【０００３】
ところで、最下階以外の階床においては一般に、乗かごの天井の高さが乗場の床面の高さと同程度になるまで乗かごを昇降させ、その状態で乗かごの天井に作業員が乗り込んで点検作業が行われる。しかし、最下階においては、乗かごの天井が最下階床面と同程度となるまで乗かごを下降させることはできない。このようなことから、最下階付近にあって昇降路内から行われる機器の点検作業に際して従来は、ピット床に脚立等の設備を設置し、その上に乗って点検作業が実施される。あるいは、特許文献１に示されるように、昇降路壁面に固定される折りたたみ式の作業床を用いて点検作業が実施される。
【先行技術文献】
【特許文献】
【０００４】
【特許文献１】特開２０１０−３０７２５号公報
【発明の概要】
【発明が解決しようとする課題】
【０００５】
前述したピット床に脚立等の設備を設置して行われる従来の点検作業では、作業の安全性に問題がある。また、特許文献１に示される従来技術では、展開された踏板の上に作業員が乗って点検作業が行われるので比較的作業の安全性を確保しやすい。しかしながら、この特許文献１に示される従来の折りたたみ式の作業床は、多数の部品を連結させた大掛かりな構造であるために、収納時における昇降路内の占有スペースが大きくなる問題がある。
【０００６】
このように占有スペースが大きくなることは、昇降路内に配置される各機器の配置に制約を与えてしまう。また、エレベータが設置される建物内における実用スペースを大きく確保するためには、昇降路の横断面積を小さくする必要があるが、前述のように収納時の占有スペースが大きくなることに伴って従来技術では、昇降する乗かごとの干渉を防ぐために昇降路の横断面積が大きくなりがちとなる。これにより、建物内の実用スペースを大きく確保することが難しくなる。
【０００７】
また、特許文献１に示される従来技術では、作業床を構成する踏板を最下階乗場の敷居に重ねるようにして固定することから、点検作業に台車を使用する場合に、その台車が踏板の高さ分の段差に引っ掛かって踏板への乗り込みが困難になりやすい。さらに、踏板に乗り込む作業員の足が前述の段差に引っ掛かって転倒する懸念もある。
【０００８】
本発明は、上述した従来技術における実状からなされたもので、その目的は、点検作業に際しては最下階乗場の床面とほとんど段差を生じることなく作業床を配置でき、作業終了後の収納時には占有スペースを小さくすることができるエレベータの点検作業床装置を提供することにある。
【課題を解決するための手段】
【０００９】
前記目的を達成するために、本発明は、昇降路内部からの機器の点検作業に用いられるエレベータの点検作業床装置において、最下階乗場に対向する昇降路壁面に固定されるブラケットと、このブラケットに保持される芯棒と、この芯棒に巻回され、前記最下階乗場方向に引き出されて展開されたときに作業員の乗り込みが可能な作業床を形成し、点検作業の終了後に前記芯棒に巻き取られる巻回体とを有し、前記最下階乗場の床面と同じ高さ位置に配置した巻き取り式点検床と、前記巻き取り式点検床の前記巻回体の端部を前記最下階乗場に固定する固定手段とを備えたことを特徴としている。
【００１０】
このように構成した本発明は、昇降路内からの機器の点検作業に際しては、巻き取り式作業床の巻回体を引き出して昇降路内を横断するように展開させ、巻回体の端部を固定手段によって最下階乗場に固定し、この状態で作業床を形成する巻回体の上に作業員が乗り込んで昇降路内からの所望の機器の点検作業を実施することができる。
【００１１】
本発明は、巻回体の端部を固定手段で固定することにより、作業床を形成する巻回体を安定して昇降路内に配置でき、巻回体に乗り込んだ作業員による昇降路内からの機器の点検作業を安全に行うことができる。また、巻回体の厚さ寸法を作業員による荷重を支え得る範囲内で十分に小さく設定することにより、巻回体の上面と最下階乗場の床面との段差をほとんど生じない略同一面とすることができる。これにより、作業床を形成する巻回体に台車を乗り込ませることを容易に行うことができ、点検作業に際し台車を活用して容易に行うことができる。また、作業床を形成する巻回体に作業員の足が引っ掛かることなく乗り込むことができ、この点でも点検作業を容易に行うことができる。
【００１２】
また本発明は、前述したように巻回体の厚さ寸法を作業員による荷重を支え得る範囲内で十分に小さく設定し、芯棒に密接に巻回させるようにすることにより、収納時の占有スペースを、収納させた際の巻回体の直径程度の小さな占有スペースに抑えることができる。
【００１３】
また本発明は、前記発明において、前記固定手段は、前記巻き取り式点検床の前記巻回体の前記端部に取り付けられるフックと、前記最下階乗場のシルに設けられ、前記フックが連結される連結穴とを含むことを特徴としている。
【００１４】
このように構成した本発明は、点検作業時には、巻回体の端部のフックを最下階乗場のシルの連結穴に連結するだけで、容易に巻回体によって形成される作業床を昇降路内に設置することができる。
【００１５】
また本発明は、前記発明において、前記固定手段は、前記フックに形成したボルト穴と、このボルト穴が適合可能に前記シルに形成したねじ孔と、前記ボルト穴に挿入されて前記ねじ孔に螺合するボルトとを含むことを特徴としている。
【００１６】
このように構成した本発明は、巻回体の端部のフックを最下階乗場のシルの連結穴に連結した状態で、フックのボルト穴にボルトを挿入し、このボルトを最下階乗場のシルのねじ孔に螺合させることにより、作業床を形成する巻回体を強固に最下階乗場に固定することができる。
【００１７】
また本発明は、前記発明において、前記巻き取り式点検床の前記巻回体の前記端部に、前記最下階乗場から操作される棒体の先端に設けた係合部が係合可能な係合穴を設けたことを特徴としている。
【００１８】
このように構成した本発明は、点検作業に際し最下階乗場の作業員は、棒体の係合部を巻回体の端部の係合穴に係合させて、棒体を最下階乗場方向に引っ張ることにより、収納状態にある巻回体を最下階乗場方向に容易に引き出すことができ、作業床を形成する巻回体の最下階乗場への固定作業を能率良く行うことができる。
【００１９】
また本発明は、前記発明において、前記巻き取り式点検床は、ばね力によって前記巻回体が前記芯棒に巻き取られる自動巻き取り式の点検床から成ることを特徴としている。
【００２０】
このように構成した本発明は、最下階乗場のシルのねじ孔とボルトとの螺合を解き、ボルトを巻回体の端部に設けたフックのボルト穴から抜き取った後、フックを最下階乗場のシルに設けた連結穴から外すことにより、ばね力によって自動的に巻回体を芯棒に巻き取らせ、収納状態にすることができる。したがって、巻き取り式点検床の収納作業を容易に行うことができる。
【発明の効果】
【００２１】
本発明は、前述のように最下階乗場に対向する昇降路壁面に固定されるブラケットと、このブラケットに保持される芯棒と、この芯棒に巻回され、最下階乗場方向に引き出されて展開されたときに作業員の乗り込みが可能な作業床を形成し、点検作業の終了後に芯棒に巻き取られる巻回体とを有し、最下階乗場の床面と同じ高さ位置に配置した巻き取り式点検床と、巻き取り式点検床の巻回体の端部を最下階乗場に固定する固定手段とを備えた構成にしてある。この構成に伴って、点検作業に際しては最下階乗場の床面とほとんど段差を生じることなく巻回体によって形成される作業床を配置でき、この作業床に乗り込んだ作業員によって昇降路内からの機器の点検作業を安全に行うことができる。また、作業終了後の収納時には占有スペースを小さくすることができ、昇降路内に設置される機器の配置に対する制約を従来よりも緩和させることができ、また、昇降路の横断面積を従来よりも小さくし、当該エレベータが設置される建物の実用スペースを従来よりも大きく確保できる。これらにより従来よりも信頼性の高いエレベータの点検作業床装置を実現させることができる。
【図面の簡単な説明】
【００２２】
【図１】本発明に係るエレベータの点検作業床装置の一実施形態の取り付け状態を示す図で、（ａ）図は側面図、（ｂ）図は平面図である。
【図２】本実施形態に備えられる巻回体の端部に設けられるフックと、このフックが連結される最下階乗場のシルに形成される連結穴を示す図で、（ａ）図はフックを連結穴に挿入する直前の状態を示す斜視図、（ｂ）図はフックを連結穴に挿入した状態を示す斜視図である。
【図３】本実施形態に係る点検作業床装置を用いて行われる点検作業時の状態を示す図で、（ａ）図は側面図、（ｂ）図は平面図である。
【発明を実施するための形態】
【００２３】
以下、本発明に係るエレベータの点検作業床装置の実施の形態を図に基づいて説明する。
【００２４】
図１は本発明に係るエレベータの点検作業床装置の一実施形態の取り付け状態を示す図で、（ａ）図は側面図、（ｂ）図は平面図、図２は本実施形態に備えられる巻回体の端部に設けられるフックと、このフックが連結される最下階乗場のシルに形成される連結穴を示す図で、（ａ）図はフックを連結穴に挿入する直前の状態を示す斜視図、（ｂ）図はフックを連結穴に挿入した状態を示す斜視図である。
【００２５】
本実施形態に係る点検作業床装置が活用されるエレベータは、図１に示すように、底部にピット２を有する昇降路１と、この昇降路１の内部を上下に移動する乗かご３と、この乗かご３に乗客及び作業員５が乗り込む最下階乗場４を含む各階乗場と、各階乗場と昇降路１との間を隔てる乗場ドア６と、この乗場ドア６の運動方向を案内する敷居すなわちシル７を有している。各階乗場には、乗かご３の現在位置を表示する表示盤や、乗かご３を当該階へ呼ぶ釦を備えた操作盤８が設置されている。また、昇降路１の内部には、最下階乗場４の床面と同程度の高さに、エレベータを駆動させるモータやブレーキなどのエレベータ機器９が配置されている。
【００２６】
昇降路１は、横断面が長方形となっており、鉛直方向に運動する乗かご３の通り道となる。エレベータ機器９などの昇降路１の内部の設置物は、この乗かご３の昇降運動の妨げとならないように、乗かご３の運動経路上から一定の距離以上の間隔を空けて設置しなくてはならない。
【００２７】
操作盤８及びエレベータ機器９は、経年的、あるいは使用上の故障等に備え、定期的な点検作業が必要となる。点検作業時は、作業員が目視、触診、あるいは清掃、機器交換などの作業を行うため、安定した姿勢で当該機器に近づけるようにすることが望ましい。しかし、操作盤８、エレベータ機器９は共に点検作業を昇降路１の内部で行う必要があり、機器が空中に位置することから、何の足場設備の無い状態では危険を伴う。特に、最下階付近における昇降路１内からの点検作業は、前述のように足場設備が必要になる。
【００２８】
前述したエレベータにおいて活用される本実施形態に係る点検作業床装置は、図１に示すように、最下階乗場４に対向する昇降路１の壁面に固定されるブラケット１１と、このブラケット１１に保持される芯棒１２と、この芯棒１２にロール状に巻回され、最下階乗場４方向に引き出されて展開されたときに作業員５の乗り込みが可能な作業床を形成し、点検作業の終了後に芯棒１２に巻き取られるロール状の巻回体１３とを有し、最下階乗場４の床面と同じ高さ位置に配置した巻き取り式点検床１０を備えている。この巻き取り式点検床１０は例えば、ばね力によって巻回体１３が芯棒１２に巻き取られる自動巻き取り式の点検床から成っている。また、本実施形態は、巻き取り式点検床１０の巻回体１３の端部を最下階乗場４に固定する固定手段を備えている。
【００２９】
巻回体１３は、その厚さ寸法を作業員５による荷重を支え得る範囲内で十分に小さく設定してある。また、同図１に示す収納状態から十分に引き出され、最下階乗場４に固定した際に、弛みを生じない長さ寸法に設定してある。
【００３０】
前述した固定手段は、図２の（ａ）図にも示すように、巻き取り式点検床１０の巻回体１３の最下階乗場４側に位置する端部に取り付けられる例えば一対のフック１４と、最下階乗場４のシル７に設けられ、一対のフック１４のそれぞれが連結される一対の連結穴１６とを含んでいる。また、この固定手段は、フック１４のそれぞれに形成したボルト穴１４ａと、これらのボルト穴１４ａが適合可能となるようにシル７にそれぞれ形成したねじ孔７ａと、前述したボルト穴１４ａのそれぞれに挿入されて対応するねじ孔７ａのそれぞれと螺合する２本のボルト１７とを含んでいる。
【００３１】
また、本実施形態は、図１の（ｂ）図に示すように、巻き取り式点検床１０の巻回体１３の最下階乗場４側に位置する端部に、最下階乗場４から操作される棒体１８の先端に設けたフック状の係合部１８ａが係合可能な係合穴１５を備えている。
【００３２】
図３は本実施形態に係る点検作業床装置を用いて行われる点検作業時の状態を示す図で、（ａ）図は側面図、（ｂ）図は平面図である。
【００３３】
前述のように構成した本実施形態に係る点検作業床装置を用いて行われる昇降路１内からの機器の点検作業は、以下のようにして実施される。
【００３４】
すなわち、最下階乗場４の作業員５は、まず乗場ドア６を開け、所持した棒体１８の係合部１８ａを巻き取り式点検床１０の係合穴１５に引っ掛けて、手前に引く。これにより、ロール状に収納されていた巻回体１３が引き出されて昇降路１内を横断するように展開し、図２の（ａ）図に示す状態となる。さらに引き出された巻回体１３のフック１４のそれぞれを、最下階乗場４のシル７の連結穴１６のそれぞれに連結する。この状態になると、フック１４のそれぞれのボルト穴１４ａと、対応するシル７のねじ孔７ａとが適合する。ここで、図２の（ｂ）図に示すように、それぞれのボルト穴１４ａにボルト１７を挿入し、挿入されたボルト１７をねじ孔７ａに螺合させ、これらのボルト１７によって巻回体１３の端部をシル７に締結する。これにより作業床を形成する巻回体１３が最下階乗場４に固定される。
【００３５】
このように巻回体１３によって形成される作業床が、最下階乗場４の付近の昇降路１内に設けられた状態において、図３に示すように、作業員５は巻回体１３上に乗り込んで、昇降路１内からの機器の点検作業を実施する。
【００３６】
点検作業の終了後は、最下階乗場４のシル７のそれぞれのねじ孔７ａとボルト１７との螺合を解き、ボルト１７のそれぞれを巻回体１３の端部に設けたフック１４のそれぞれのボルト穴１４ａから抜き取った後、フック１４のそれぞれを最下階乗場４のシル７に設けた連結穴１６のそれぞれから外すことにより、ばねの力によって自動的に巻回体１３を芯棒１２に巻き取らせ、昇降路１の壁面に保持される収納状態とすることができる。
【００３７】
このように構成した本実施形態によれば、巻回体１３の端部をフック１４と連結穴１６とを含む固定手段で固定することにより、作業床を形成する巻回体１３を安定して昇降路１内に配置でき、巻回体１３に乗り込んだ作業員５による昇降路１内からの機器の点検作業を安全に行うことができる。また、巻回体１３の厚さ寸法を作業員５による荷重を支え得る範囲内で十分に小さく設定してあることにより、巻回体１３の上面と最下階乗場４の床面とを段差をほとんど生じない略同一面とすることができる。これにより、作業床を形成する巻回体１３に台車を乗り込ませることを容易に行うことができ、点検作業を台車を活用して行うことができる。また、作業床を形成する巻回体１３に作業員５の足が引っ掛かる虞なく乗り込むことができ、この点でも点検作業を容易に行うことができる。
【００３８】
また、本実施形態によれば、前述したように巻回体１３の厚さ寸法を作業員５による荷重を支え得る範囲内で十分に小さく設定し、芯棒１２に密接に巻回させるようにすることにより、収納時の占有スペースを、収納させた際の巻回体１３の直径程度の小さな占有スペースに抑えることができる。したがって、昇降路１内に設置される機器の配置に対する制約を緩和させることができ、また、昇降路１の横断面積を小さくし、当該エレベータが設置される建物の実用スペースを大きく確保できる。これらにより信頼性の高いエレベータの点検作業床装置を実現させることができる。
【００３９】
また、本実施形態によれば、点検作業時には、巻回体１３の端部のフック１４を最下階乗場４のシル７の連結穴１６に連結するだけで、容易に巻回体１３によって形成される作業床を昇降路１内に設置することができる。
【００４０】
また、本実施形態によれば、巻回体１３の端部のフック１４を最下階乗場４のシル７の連結穴１６に連結した状態で、フック１４のボルト穴１４ａにボルト１７を挿入し、このボルト１７を最下階乗場４のシル７のねじ孔７ａに螺合させることにより、作業床を形成する巻回体１３を強固に最下階乗場４に固定することができる。これにより点検作業の安全性の確保に貢献する。
【００４１】
また、本実施形態によれば、点検作業に際し最下階乗場４の作業員５は、棒体１８の係合部を巻回体１３の端部の係合穴１５に係合させて、棒体１８を最下階乗場４方向に引っ張ることにより、収納状態にある巻回体１３を最下階乗場４方向に容易に引き出すことができ、巻回体１３の最下階乗場４への固定作業を能率良く行うことができる。
【００４２】
また、本実施形態によれば、最下階乗場４のシル７のねじ孔７ａとボルト１７との螺合を解き、ボルト１７を巻回体１３の端部に設けたフック１４のボルト穴１４ａから抜き取った後、フック１４を最下階乗場４のシル７に設けた連結穴１６から外すことにより、ばね力によって自動的に巻回体１３を芯棒１２に巻き取らせ、収納状態にすることができる。したがって、巻き取り式点検床１０の収納作業を容易に行うことができる。
【符号の説明】
【００４３】
１    昇降路
２    ピット
３    乗かご
４    最下階乗場
５    作業員
６    乗場ドア
７    シル
７ａ  ねじ孔（固定手段）
８    操作盤
９    エレベータ機器
１０    巻き取り式点検床
１１    ブラケット
１２    芯棒
１３    巻回体
１４    フック（固定手段）
１４ａ  ボルト穴（固定手段）
１５    係合穴
１６    連結穴（固定手段）
１７    ボルト（固定手段）
１８    棒体
１８ａ  係合部
【図１】
2012126485.tif 000003
【図２】
2012126485.tif 000004
【図３】
2012126485.tif 000005